(57)【要約】【課題】  回転軸に対して傾角を有し且つ回転軸により回転駆動される斜板と、回転軸に略平行に延在して頭部がシリンダボアに挿通され尾部に斜板が通過可能な溝が形成されたピストンとを、ピストン尾部の溝両側面に形成された球面状凹部に収容した一対の略半球状のシューで斜板の周縁部を摺動可能に挟持する斜板式圧縮機の斜板とピストンとの係合構造であって、シューが球面状凹部内で位置ずれを起こしても、シューが損傷せず、圧縮機の耐久生が低下しない係合構造を提供する。【解決手段】  回転軸に対して傾角を有し且つ回転軸により回転駆動される斜板と、回転軸に略平行に延在して頭部がシリンダボアに挿通され尾部に斜板が通過可能な溝が形成されたピストンとを、ピストン尾部の溝両側面に形成された球面状凹部に収容した一対の略半球状のシューで斜板の周縁部を摺動可能に挟持する斜板式圧縮機の斜板とピストンとの係合構造であって、球面状凹部の周縁が円弧状に面取り加工されている。【選択図】  図２
2005139948.tif 000002
【特許請求の範囲】
【請求項１】
回転軸に対して傾角を有し且つ回転軸により回転駆動される斜板と、回転軸に略平行に延在して頭部がシリンダボアに挿通され尾部に斜板が通過可能な溝が形成されたピストンとを、ピストン尾部の溝両側面に形成された一対の球面状凹部に収容した一対の略半球状のシューで斜板の周縁部を摺動可能に挟持する斜板式圧縮機の斜板とピストンとの係合構造であって、球面状凹部の周縁が円弧状に面取り加工されていることを特徴とする係合構造。
【請求項２】
球面状凹部の斜板回転方向前方の周縁が円弧状に面取り加工されていることを特徴とする請求項１に記載の係合構造。
【発明の詳細な説明】
【技術分野】
【０００１】
本発明は、回転軸に対して傾角を有し且つ回転軸により回転駆動される斜板と、回転軸に略平行に延在して頭部がシリンダボアに挿通され尾部に斜板が通過可能な溝が形成されたピストンとを、ピストン尾部の溝両側面に形成された球面状凹部に収容した一対の略半球状のシューで斜板の周縁部を摺動可能に挟持する斜板式圧縮機の斜板とピストンとの係合構造に関するものである。
【背景技術】
【０００２】
回転軸に対して傾角を有し且つ回転軸により回転駆動される斜板と、回転軸に略平行に延在して頭部がシリンダボアに挿通され尾部に斜板が通過可能な溝が形成されたピストンとを、ピストン尾部の溝両側面に形成された球面状凹部に収容した一対の略半球状のシューで斜板の周縁部を摺動可能に挟持する斜板式圧縮機の斜板とピストンとの係合構造が特許文献１等に開示されている。
【特許文献１】特開２０００−１７９４５４
【発明の開示】
【発明が解決しようとする課題】
【０００３】
特許文献１等の従来の係合構造において、シューが球面状凹部内で位置ずれを起こした場合、シューの球面が球面状凹部の周縁角部に接触してシューの球面が損傷する可能性があり、斜板とピストンとの係合部の摺動性が低下し、圧縮機の耐久性が低下する可能性がある。
【０００４】
本発明は上記問題に鑑みてなされたものであり、回転軸に対して傾角を有し且つ回転軸により回転駆動される斜板と、回転軸に略平行に延在して頭部がシリンダボアに挿通され尾部に斜板が通過可能な溝が形成されたピストンとを、ピストン尾部の溝両側面に形成された球面状凹部に収容した一対の略半球状のシューで斜板の周縁部を摺動可能に挟持する斜板式圧縮機の斜板とピストンとの係合構造であって、シューが球面状凹部内で位置ずれを起こしても、シューが損傷せず、圧縮機の耐久生が低下しない係合構造を提供することを目的とする。
【課題を解決するための手段】
【０００５】
上記課題を解決するために、本発明においては、回転軸に対して傾角を有し且つ回転軸により回転駆動される斜板と、回転軸に略平行に延在して頭部がシリンダボアに挿通され尾部に斜板が通過可能な溝が形成されたピストンとを、ピストン尾部の溝両側面に形成された球面状凹部に収容した一対の略半球状のシューで斜板の周縁部を摺動可能に挟持する斜板式圧縮機の斜板とピストンとの係合構造であって、球面状凹部の周縁が円弧状に面取り加工されていることを特徴とする係合構造を提供する。
本発明に係る斜板式圧縮機の斜板とピストンとの係合構造においては、シューを収容する球面状凹部の周縁が円弧状に面取り加工されているので、シューが球面状凹部内で位置ずれを起こし、シューの球面が球面状凹部の周縁に接触しても、シューの球面は損傷しない。従って斜板とピストンとの係合部の摺動性は低下せず、圧縮機の耐久性は低下しない。
【０００６】
本発明の好ましい態様においては、球面状凹部の斜板回転方向前方の周縁が円弧状に面取り加工されている。
斜板から摩擦力を受けるシューは、球面状凹部内で斜板の回転方向前方へ位置ずれする傾向にあるので、球面状凹部周縁の一部を面取り加工する場合には、球面状凹部の斜板回転方向前方の周縁を円弧状に面取り加工するのが望ましい。
【発明の効果】
【０００７】
本発明に係る斜板式圧縮機の斜板とピストンとの係合構造においては、シューを収容する球面状凹部の周縁が円弧状に面取り加工されているので、シューが球面状凹部内で位置ずれを起こし、シューの球面が球面状凹部の周縁に接触しても、シューの球面は損傷しない。従って斜板とピストンとの係合部の摺動性は低下せず、圧縮機の耐久性は低下しない。
【発明を実施するための最良の形態】
【０００８】
本発明の実施例に係る斜板とピストンとの係合構造を備える斜板式圧縮機を説明する。
【実施例１】
【０００９】
図１に示すように、可変容量型斜板式圧縮機Ａは、回転軸１０と、回転軸１０に固定されたローター１１と、傾角可変に回転軸１０に支持された斜板１２とを備えている。斜板１２は、斜板１２の傾角変動を許容するリンク機構１３を介してローター１１に連結され、ローター１１ひいては回転軸１０に同期して回転する。
斜板１２の周縁部に摺接する一対のシュー１４を介してピストン１５が斜板１２に係留されている。ピストン１５は、シリンダブロック１６に形成されたシリンダボア１６ａに挿入されている。
【００１０】
ピストン１５はシリンダボア１６ａに挿入される頭部１５ａと斜板に係留される尾部１５ｂとを有している。尾部１５ｂは図１、２に示すように、斜板１２の周縁部が通過可能な溝１５ｃと、溝１５ｃの両側面に形成された一対の浅い球面状凹部１５ｄとを有している。球面状凹部１５ｄの周縁１５ｄ′は円弧状に面取加工されている。一対の球面状凹部１５ｄに収容された一対の略半球状のシュー１４で斜板１２の周縁部を摺動可能に挟持することにより、斜板１２とピストン１５との係合構造が形成されている。
【００１１】
回転軸１０、ローター１１、斜板１２を収容するクランク室１７を形成する有底円筒状のフロントハウジング１８が配設されている。回転軸１０は、フロントハウジング１８を貫通して外部へ延びている。回転軸１０のフロントハウジング貫通部を密封する軸封部材１９が配設されている。
フロントハウジング１８に取りつけられた電磁クラッチ２０を介して図示しない外部駆動源から回転軸１０の先端部に回転動力が伝達される。
吸入室と吐出室とを形成するシリンダヘッド２１が配設されている。
シリンダブロック１６とシリンダヘッド２１との間にボア１６ａに連通する吸入口と吐出口とが形成された弁板２２が配設されている。
フロントハウジング１８、シリンダブロック１６、弁板２２、シリンダヘッド２１は、ボルト２３により一体に組み付けられている。
回転軸１０はフロントハウジング１８、シリンダブロック１６により回転可能に支持されている。
【００１２】
可変容量型斜板式圧縮機Ａにおいては、図示しない外部駆動源の回転動力が電磁クラッチ２０を介して回転軸１０に伝達され、回転軸１０の回転がローター１１、リンク機構１３を介して斜板１２に伝達される。斜板１２の回転に伴う斜板１２周縁部の回転軸１０延在方向の往復動が、シュー１４を介してピストン１５に伝達され、ピストン１５がボア１６ａ内で往復動する。外部冷凍回路から還流した冷媒が、シリンダヘッド２１に形成された吸入ポートと吸入室と吸入口と図示しない吸入弁とを介してボア１６ａへ吸入され、ボア１６ａ内で圧縮され、吐出口と図示しない吐出弁と吐出室とシリンダヘッド２１に形成された吐出ポートとを介して外部冷凍回路へ流出する。
【００１３】
可変容量型斜板式圧縮機Ａの斜板１２とピストン１５との係合構造においては、シュー１４を収容する球面状凹部１５ｄの周縁１５ｄ′が円弧状に面取り加工されているので、シュー１４が球面状凹部１５ｄ内で位置ずれを起こし、シュー１４の球面が球面状凹部１５ｄの周縁１５ｄ′に接触しても、シュー１４の球面は損傷しない。従って斜板１２とピストン１５との係合部の摺動性は低下せず、圧縮機Ａの耐久性は低下しない。
【００１４】
斜板１２から摩擦力を受けるシュー１４は、球面状凹部１５ｄ内で斜板１２の回転方向前方へ位置ずれする傾向にあるので、球面状凹部１５ｄの周縁１５ｄ′の一部を面取り加工する場合には、球面状凹部１５ｄの斜板回転方向前方の周縁１５ｄ′を円弧状に面取り加工するのが望ましい。
【産業上の利用可能性】
【００１５】
本発明は可変容量型斜板式圧縮機のみならず固定容量型斜板式圧縮機でも利用可能である。
【図面の簡単な説明】
【００１６】
【図１】本発明の実施例に係る斜板とピストンとの係合構造を有する可変容量型斜板式圧縮機の断面図である。
【図２】図１の部分拡大図である。
【符号の説明】
【００１７】
Ａ  可変容量型斜板式圧縮機
１０  回転軸
１１  ローター
１２  斜板
１３  リンク機構
１４  シュー
１５  ピストン
１５ａ  頭部
１５ｂ  尾部
１５ｃ  溝
１５ｄ  球面状凹部
１５ｄ′  球面状凹部の周縁
１８  フロントハウジング
【図１】
2005139948.tif 000003
【図２】
2005139948.tif 000004